(57)【要約】【課題】遅延制御を行う人体の不存在後の所定期間を誤差の小さい短時間に連続的に設定できるとともに長時間にも連続的に設定可能なセンサ装置および照明装置を提供する。【解決手段】センサ装置２は、人体を検知する人感センサ２７と、所定の操作範囲を有し、この操作範囲で手動操作することにより前記所定期間を連続的に設定することのできる操作部２３と、操作範囲の起点からの操作部２３の操作量に対して、操作量の比較的小さい起点側の範囲では前記所定期間の間隔を連続的に小さく設定し、操作量の比較的大きい他端側の範囲では前記所定期間の間隔を連続的に大きく設定する制御手段３５を具備する。【選択図】図４
2005214768.tif 000002
【特許請求の範囲】
【請求項１】
人体を検知する人感センサと；
人感センサにより人体が検知されたときに人体の存在に応じた制御信号を出力し、前記人感センサにより人体が検知されなくなってから所定期間後に人体の不存在に応じた制御信号を出力して負荷を制御する制御手段と；
所定の操作範囲を有し、この操作範囲で手動操作することにより前記所定期間を連続的に設定することのできる操作部と；
を具備し、
制御手段は、操作範囲の起点からの操作部の操作量に対して、操作量の比較的小さい起点側の範囲では前記所定期間の間隔を連続的に小さく設定し、操作量の比較的大きい終点側の範囲では前記所定期間の間隔を連続的に大きく設定することを特徴とするセンサ装置。
【請求項２】
制御手段は、操作範囲の起点からの操作部の操作量に対して前記所定期間を指数関数的に設定することを特徴とする請求項１記載のセンサ装置。
【請求項３】
請求項１または２記載のセンサ装置と；
前記制御手段により点消灯制御される照明負荷と；
を具備していることを特徴とする照明装置。
【発明の詳細な説明】
【技術分野】
【０００１】
本発明は、人体の存否を検出する人感センサを具備したセンサ装置および照明装置に関する。
【背景技術】
【０００２】
人体から放射される熱線を焦電素子のような熱線センサ（人感センサ）により検知して人体の存否を検出することにより、照明器具を自動的に点消灯させる照明装置が広く利用されている。この種の照明装置は、一般的に、人体の存在を検出して照明器具を点灯させた後、人体の存在を検出しなくなった時から所定期間（遅延時間）後に照明器具を消灯させるようにしている。そして、当該所定期間は、例えば人感センサを配設しているセンサ装置に設けられた可変抵抗器などを操作することにより設定されている。また、当該所定期間は、人感センサの検知頻度などの使用環境等に応じて、例えば１０秒〜３０分の範囲で設定されるようにしている。
【０００３】
ここで、例えば可変抵抗器の操作範囲は、限定的（一定の範囲）であるので、所定期間の設定範囲が大きいと、可変抵抗器の操作量に対する所定期間の変化量が大きくなり、この結果、所望の所定期間に調整して設定することに手間を要し、あるいは、当該設定が困難となる。特に、所定期間が短時間であるほど、その微調整が困難となり、設定された所定期間は、所望の所定期間との誤差が大きくなるという問題がある。
【０００４】
また、所定期間の設定範囲が小さいと、可変抵抗器の操作量に対する所定期間の変化量が小さいので、所望の所定期間に調整して設定しやすくなる。しかし、所定期間の設定範囲を小さくすると、所望の所定期間が当該設定範囲外であるとき、所望の所定期間に設定できないという問題が生じる。
【０００５】
そこで、所定期間として比較的に使用頻度の高い値、例えば、１０秒、１分、３分、…、２０分、３０分などにおいて、当該所定期間に対応する可変抵抗器の操作量の前後の一定区間内の操作量に対して同一の所定期間を設定し、可変抵抗器を操作する操作面に当該所定期間に対して等間隔の目盛りを現している負荷制御装置が提案されている（例えば、特許文献１参照。）。すなわち、当該所定期間が設定可能となる可変抵抗器の操作位置の範囲が拡がり、当該所定期間の目盛り付近に可変抵抗器を操作することにより、所望の所定期間に容易に設定されるというものである。
【特許文献１】特開平９−２６００６６号公報（第５−６頁、第１２図、第１７図）
【発明の開示】
【発明が解決しようとする課題】
【０００６】
特許文献１は、比較的に使用頻度の高い値の間の所定期間においては、可変抵抗器の操作量が一定区間分減少するので、可変抵抗器の操作量に対する所定期間の値の変化量が前述よりさらに大きくなる。したがって、所望の所定期間が前記比較的に使用頻度の高い値以外の所定期間、例えば、３０秒、２分などに設定されるとき、所望の所定期間を設定することがさらに困難となる。すなわち、特許文献１は、概して、比較的に使用頻度の高い所定期間を段階的に設定するものであり、当該所定期間以外の所定期間を設定することが事実上できないという欠点を有する。
【０００７】
本発明は、遅延制御を行う人体の不存在後の所定期間を誤差の小さい短時間に連続的に設定できるとともに長時間にも連続的に設定可能なセンサ装置および照明装置を提供することを目的とする。
【課題を解決するための手段】
【０００８】
請求項１に記載のセンサ装置の発明は、人体を検知する人感センサと；人感センサにより人体が検知されたときに人体の存在に応じた制御信号を出力し、前記人感センサにより人体が検知されなくなってから所定期間後に人体の不存在に応じた制御信号を出力して負荷を制御する制御手段と；所定の操作範囲を有し、この操作範囲で手動操作することにより前記所定期間を連続的に設定することのできる操作部と；を具備し、制御手段は、操作範囲の起点からの操作部の操作量に対して、操作量の比較的小さい起点側の範囲では前記所定期間の間隔を連続的に小さく設定し、操作量の比較的大きい終点側の範囲では前記所定期間の間隔を連続的に大きく設定することを特徴とする。
【０００９】
本発明および以下の各発明において、特に言及しない限り、各構成は以下による。
【００１０】
負荷は、照明用ランプに限らず、例えば、モータで駆動する換気扇、扇風機、送風機、空気清浄機等、ヒータや冷暖房機などであってもよい。
【００１１】
操作部は、例えば、可変抵抗器、フェーダ、ロータリースイッチなど、手動操作により所定期間を連続的に設定することのできる構成であればよい。
【００１２】
「所定の操作範囲」とは、起点の操作位置で最小の所定期間の値が設定され、終点の操作位置で最大の所定期間の値が設定され、起点から終点側へ操作する操作量（移動量）に応じて、所定期間の値が最小値から増加することを意味する。
【００１３】
制御手段から出力される人体の不存在に応じた制御信号は、連続的に出力される人体の存在に応じた制御信号を停止させることであってもよい。すなわち、制御手段から人体の存在に応じた制御信号が出力されないことを人体の不存在に応じた制御信号が出力されるとしてよい。
【００１４】
本発明によれば、操作部の操作量の比較的小さい起点側の範囲では、操作量に対して所定期間の値の変化量が連続的に小さくなり、操作量の比較的大きい終点側の範囲では、操作量に対して所定期間の値の変化量が連続的に大きくなる。したがって、操作部において、短時間の所定期間が操作範囲の起点側で微調整して連続的に設定可能であり、所望の所定期間との誤差が小さくなる。また、操作範囲の終点側で長時間の所定期間が連続的に設定可能である。
【００１５】
請求項２に記載のセンサ装置の発明は、請求項１記載のセンサ装置において、制御手段は、操作範囲の起点からの操作部の操作量に対して前記所定期間を指数関数的に設定することを特徴とする。
【００１６】
本発明によれば、操作部の操作量に対して所定期間が指数関数的に設定されるので、操作部の操作量の比較的小さい起点側の範囲では、操作量に対して所定期間の値の変化量が連続的に小さくなり、短時間の所定期間が微調整して設定可能となり、操作量の比較的大きい終点側の範囲では、操作量に対して所定期間の値の変化量が大きくなるが、長時間の所定期間が連続的に設定可能となる。
【００１７】
請求項３に記載の照明装置の発明は、請求項１または２記載のセンサ装置と；前記制御手段により点消灯制御される照明負荷と；を具備していることを特徴とする。
【００１８】
制御手段は、点消灯制御の他、人体の存否に応じた制御信号により、照明負荷を調光制御するように構成されていてもよい。すなわち、制御手段は、人体の存在に応じた制御信号を出力することにより、照明負荷を点灯させる。このときの照明負荷の調光率は、予め設定された調光率であってもよく、照度センサの検知信号に応じて照明エリアが一定の明るさとなるように調光率が変化されるものであってもよい。そして、人体の不存在に応じた制御信号を出力することにより、照明負荷を消灯または調光点灯させる。
【００１９】
本発明によれば、１つの操作部において、短時間の所望の前記所定期間が小さい誤差で連続的に設定可能であるとともに、長時間の前記所定期間も連続的に設定可能な照明装置が提供される。
【発明の効果】
【００２０】
請求項１の発明によれば、１つの操作部において、短時間の所定期間を操作範囲の起点側で微調整して連続的に設定することができ、操作範囲の終点側で長時間の所定期間を連続的に設定することができるので、使いやすいとともに、手動操作により設定される短時間の所定期間を所望値との誤差を小さくして設定することができる。
【００２１】
請求項２の発明によれば、操作部の操作量に対して所定期間が指数関数的に設定されるので、操作部の操作量の比較的小さい起点側の範囲で、短時間の所定期間を微調整して連続的に設定することができ、操作量の比較的大きい終点側の範囲で、長時間の所定期間を連続的に設定することができる。
【００２２】
請求項３の発明によれば、センサ装置に具備された１つの操作部において、短時間の所定期間を小さい誤差で連続的に設定することができ、長時間の所定期間も連続的に設定することができる照明装置を提供することができる。
【発明を実施するための最良の形態】
【００２３】
以下、本発明の一実施の形態について、図面を参照して説明する。
【００２４】
図１〜図８は、本発明の一実施の形態を示し、図１は照明装置の概略構成図、図２は天井に取り付けられた状態のセンサ装置であり、（ａ）は概略正面図、（ｂ）は概略側面図、図３はセンサ装置の取付部材を示し、（ａ）は概略斜視図、（ｂ）は概略下面図、図４はセンサ装置のカバーが取り外された状態の概略下面図、図５は照明制御装置の概略ブロック図、図６はデルタル値に対する所定期間の変化を示す説明図、図７は検知信号送信装置の概略ブロック図、図８は別のデジタル値に対する所定期間の変化を示す説明図である。
【００２５】
図１において、照明装置１は、親機としてのセンサ装置２、子機としてのセンサ装置３および照明器具４を有して構成されている。センサ装置２は、例えば室内の天井面に配設され、センサ装置３は、例えば廊下や出入口などの天井面に配設されている。そして、照明器具４は、室内の天井面に直付けされ、吊り下げられ、あるいは埋設されている。照明器具４は、照明負荷としての蛍光ランプ５およびこの蛍光ランプ５を点灯させる点灯装置（図示しない。）を具備している。
【００２６】
親機のセンサ装置２には、電源線６を介して商用交流電源が入力されている。この電源は、電源線８を介して照明器具４の点灯装置に供給可能となっている。また、直流電圧に変換され、信号線７を介して子機のセンサ装置３に供給されている。
【００２７】
センサ装置２は、図２に示すように、センサ装置本体９、カバー１０および取付部材１１，１１等を有して構成されている。センサ装置本体９は、例えばＡＢＳ樹脂により形成され、天井１２に形成された開口部１３に埋め込まれている。そして、センサ装置本体９の下面に円盤状のカバー１０が着脱可能に取り付けられている。すなわち、センサ装置本体９には、天井１２の下面１２ａに当接し、かつ、カバー１０と略同径のフランジ部１４が設けられている。このフランジ部１４に設けられた爪部１５，１５（図４に示す。）にカバー１０が係合されている。
【００２８】
そして、センサ装置本体９の側面には、天井１２の上面１２ｂに当接してセンサ装置本体９を保持する取付金属板１６，１６を有する取付部材１１，１１がそれぞれ取り付けられ、上部側面には、図示しない電源用端子部および制御用端子部が設けられている。
【００２９】
取付部材１１は、図３に示すように、取付金属板１６、前面が開口された長方形の箱状の金属からなる取付本体１７、四角棒１８、ばね１９および押さえ板２０を有して構成されている。取付本体１７の内部の略中央部に長手方向に沿って四角棒１８が設けられ、この四角棒１８に取付金属板１６、ばね１９および押さえ板２０が配設されている。
【００３０】
取付金属板１６は、１枚の平板状の金属剛板を折曲することにより、平板部１６ａ、傾斜板部１６ｂおよび取付板部１６ｃに形成され、平板部１６ａに四角棒１８が挿通される孔（図示しない。）が形成されている。ここで、平板部１６ａは、取付本体１７の内部に収納され、かつ、回転可能な大きさに形成されている。ばね１９は、四角棒１８が挿通されるように螺旋状に形成している。また、押さえ板２０は、略四角形状の平板からなり、中央部に四角棒１８が挿通される孔（図示しない。）が形成されている。この押さえ板２０は、ばね１９の弾性力により、取付金属板１６の平板部１６ａを押圧するものである。
【００３１】
取付本体１７は、一方の側板１７ｃの上部側に切り欠き部２１が設けられている。そして、取付本体１７は、背面がねじまたは接着材などにより、センサ装置本体９の側面に固定されている。
【００３２】
四角棒１８は、例えば、ばね１９、押さえ板２０および取付金属板１６を挿通させ、一端面および他端面を取付本体１７の上板１７ａおよび下板１７ｂのそれぞれの内面の中央部に当接させて、取付本体１７の内部に配設されている。取付金属板１６は、取付本体１７の内部において、四角棒１８に沿って移動可能となっている。すなわち、四角棒１８は、レールとして機能するようになっている。
【００３３】
また、四角棒１８は、取付本体１７の下板１７ｂを挿通しているねじ１８ａに固定されている。ねじ１８ａの頭部は、図３（ｂ）に示すように、取付本体１７の下板１７ｂの表面に露出しているとともに、図４に示すように、フランジ部１４の内表面に露出している。四角棒１８は、取付金属板１６の平板部１６ａが取付本体１７の切り欠き部２１に位置しているときに、プラスドライバーを用いてねじ１８ａの頭部が回転されると、回転するものである。すなわち、四角棒１８の稜線が取付金属板１６の平板部１６ａの挿通孔の内面に当接して、取付金属板１６を回転させる。これにより、取付金属板１６の平板部１６ａが取付本体１７の切り欠き部２１に載置される。なお、四角棒１８に代えて、六角棒、八角棒などの多角棒であってもよい。
【００３４】
取付金属板１６は、平板部１６ａが取付本体１７の内部に収納されると、押さえ板２０を介して、ばね１９の弾性力により、取付本体１７の上板１７ａから下板１７ｂの方向に押圧される。また、取付金属板１６は、例えば、取付板部１６ｃの下面から押圧されると、ばね１９が縮み、取付本体１７の下板１７ｂから上板１７ａの方向に移動する。そして、平板部１６ａを切り欠き部２１の位置に移動させ、四角棒１８に固定されているねじ１８ａを回転させることにより、取付金属板１６は、略９０°回転して、平板部１６ａの下面が切り欠き部２１の切断面上に載置される。この状態で、センサ装置２のセンサ装置本体９が天井１２の開口部１３に挿入される。
【００３５】
そして、取付金属板１６が天井１２の上面１２ｂより上方に位置しているときに、ねじ１８ａを回転させて取付金属板１６を回転させる。これにより、平板部１６ａは、取付本体１７の内部に収納されて、ばね１９の弾性力により、四角棒１８に沿って天井１２側に押圧される。そして、取付板部１６ｃが天井１２の上面１２ｂに当接し、センサ装置２のフランジ部１４との間で天井１２を挟持するようになる。このようにして、センサ装置２は、天井１２に取り付けられている。
【００３６】
センサ装置２を天井１２から取り外すには、まず、フランジ部１４からカバー１０を取り外す。そして、例えば、天井１２の下面１２ａとフランジ部１４との間に治具を挿入してフランジ部１４を下方に引き寄せた後、フランジ部１４を手で掴み、さらに下方に引くようにする。取付金属板１６の取付板部１６ｃは、天井１２の上面１２ｂに当接しているので、ばね１９が縮み、取付金属板１６が四角棒１８に沿って取付本体１７の上方に移動する。そして、取付金属板１６の平板部１６ａを取付本体１７の切り欠き部２１の位置にして、フランジ部１４の内表面に露出しているねじ１８ａを回転させて取付金属板１６を回転させる。そして、平板部１６ａの下面を切り欠き部２１の切断面上に載置させた後、センサ装置本体９を天井１２から取り出す。これにより、センサ装置２は、天井１２から取り外される。
【００３７】
そして、センサ装置２のフランジ部１４の内側は、図４に示すように、部品配置部２２となっている。部品配置部２２には、操作部としてのフェーダ２３、リモコン送信機２４（図１に示す。）からの送信信号を受信するリモコン受信部２５、リモコン送信機２４に返信信号を送信するリモコン送信部２６および人体から放射される熱線を検知する人感センサ２７などが配設されている。この人感センサ２７は、焦電センサであり、その検知範囲は、円錐形の内部で、例えば、天井１２の下面１２ａからの距離２ｍの検知面で直径約５ｍの範囲内を検知するようになっている。
【００３８】
そして、フェーダ２３は、センサ装置本体９内の可変抵抗器（図示しない。）に接続されており、起点（一端）から終点（他端）までの操作範囲を移動することにより、可変抵抗器の抵抗値を変化させる。すなわち、フェーダ２３を起点から終点側に移動させると、起点における所定値からフェーダ２３の移動量（操作量）に応じて、抵抗値が増加される。そして、部品配置部２２において、起点から終点までの操作範囲に、等間隔の目盛り２８が刻印されている。この目盛り２８は、操作範囲の起点から中間部までは、１分毎に刻印され、操作範囲の中間部から終点までは、６分毎に刻印されている。ここで、１分毎のフェーダ２３の操作量（移動量）による抵抗値の変化と、６分毎のフェーダ２３の操作量（移動量）による抵抗値の変化は、同等である。このように、フェーダ２３の操作量の比較的小さい起点側の操作範囲では、目盛り２８の時間間隔を小さくしており、操作量の比較的大きい終点側の操作範囲では、目盛り２８の時間間隔を大きくしている。
【００３９】
また、センサ装置２は、センサ装置本体９の内部に照明制御装置２９を具備している。照明制御装置２９は、図５に示すように、電源部３０、子機通信インターフェース（Ｉ／Ｆ）部３１、人感センサインターフェース（Ｉ／Ｆ）部３２、リモコン送受信インターフェース（Ｉ／Ｆ）部３３、設定操作部３４、制御手段としての主制御部３５、記憶部３６、計時部３７および制御手段としての負荷制御インターフェース（Ｉ／Ｆ）部３８を有して構成されている。
【００４０】
電源部３０は、電源端子３９，３９に接続されている。電源端子３９，３９は、電源線６を介して商用交流電源に接続されている。そして、電源部３０は、交流電圧を直流電圧に変換すると共に、所定の電圧値に調整して、主制御部３５やその他の回路部に駆動電源を供給するように構成されている。また、子機通信Ｉ／Ｆ部３１を介して、通信端子４０，４０から子機のセンサ装置３に直流電源を供給している。通信端子４０，４０は、信号線７を介して子機のセンサ装置３に接続されている。
【００４１】
電源端子３９，３９は、リレー４１を介して負荷端子４２，４２に接続されている。そして、負荷端子４２，４２は、電源線８を介して照明器具４の点灯装置に接続されている。リレー４１がオンされることにより、商用交流電源の交流電圧が点灯装置に供給される。
【００４２】
子機通信Ｉ／Ｆ部３１は、人感センサＩ／Ｆ部３２および主制御部３５に接続され、人感センサＩ／Ｆ部３２から送出された人感センサ２７による人体の検知信号を主制御部３５に送出するように構成されている。また、通信端子４０，４０および信号線７を介して子機のセンサ装置３に接続され、子機のセンサ装置３の人感センサ２７が検知した人体の検知信号を主制御部３５に送出するように構成されている。
【００４３】
人感センサＩ／Ｆ部３２は、人感センサ２７に接続されており、人感センサ２７が検知した人体の検知信号を子機通信Ｉ／Ｆ部３１に送出するように構成されている。
【００４４】
リモコン送受信Ｉ／Ｆ部３３は、リモコン受信部２５およびリモコン送信部２６に接続されている。そして、リモコン受信部２５が受信したリモコン送信機２４から送信された制御信号、例えば蛍光ランプ５を点消灯させる点消灯信号や調光点灯させる調光信号を主制御部３５に送出するように構成されている。また、主制御部３５から送出された蛍光ランプ５の点灯状態や所定期間などの返信信号をリモコン送信部２６に送出して、リモコン送信部２６からリモコン送信機２４に送信させるように構成されている。
【００４５】
設定操作部３４は、センサ装置２の部品配置部２２に設けられたフェーダ２３の操作量に応じて変化する可変抵抗器の抵抗値に応じた直流電圧を発生させるように構成されている。すなわち、手動操作により、フェーダ２３が起点から終点までの所定の操作範囲で移動すると、例えば０Ｖ〜５Ｖの電圧（アナログ値）を発生させる。そして、フェーダ２３の操作量に応じて発生した前記電圧を主制御部３５に送出するように構成されている。
【００４６】
主制御部３５は、ＣＰＵおよびプログラムが格納されたＲＯＭなどを具備している。そして、人感センサ２７が人体を検知して、子機通信Ｉ／Ｆ部３１から人体の検知信号が送出されると、負荷制御Ｉ／Ｆ部３８に人体の存在に応じた制御信号としてのリレー４１をオンにさせる制御信号を出力するように構成されている。すなわち、人感センサ２７が人体を検知したときに、照明器具４の蛍光ランプ５が点灯するように制御する。
【００４７】
そして、蛍光ランプ５が点灯しているとき、人感センサ２７が人体を検知せず、子機通信Ｉ／Ｆ部３１から人体の検知信号が送出されなくなると、この時点から所定時間後に、負荷制御Ｉ／Ｆ部３８に対するリレー４１をオンにさせる制御信号の出力を停止するように構成されている。この制御信号の停止により、負荷制御Ｉ／Ｆ部３８は、リレー４１をオフにする。すなわち、人感センサ２７により人体が検知されなくなってから所定期間後に蛍光ランプ５が消灯するように制御する。当該制御信号の停止は、人体の不存在に応じた制御信号を出力することと同等である。
【００４８】
そして、前記所定期間は、部品配置部２２のフェーダ２３の操作範囲の位置により決定され、フェーダ２３の操作によって連続的に設定可能となっている。上述したように、主制御部３５には、設定操作部３４からフェーダ２３の操作量に応じて０Ｖ〜５Ｖのアナログ値が入力される。主制御部３５は、アナログ／デジタル（Ａ／Ｄ）変換回路を内蔵しており、このＡ／Ｄ変換回路により、当該０Ｖ〜５Ｖの入力値を００ｈ〜ＦＦｈの２５６階調のデジタル値に変換する。ここで、添字ｈは、１６進数であることを示す。そして、主制御部３５は、図６に示すように、００ｈ〜７Ｆｈのデジタル値に対して１０秒〜６分の時間を対応付け、７Ｆｈ〜ＦＦｈのデジタル値に６分〜３０分の時間を対応づける。すなわち、デジタル値が００ｈでは１０秒、１Ｆｈでは１分３０秒、３Ｆｈでは３分、５Ｆｈでは４分３０秒、７Ｆｈでは６分、９Ｆｈでは１２分、ＢＦｈでは１８分、ＤＦｈでは２４分、ＦＦｈでは３０分がそれぞれ対応付けられ、これらのデジタル値の間は、時間がリニアになるように対応付けられている。そして、主制御部３５は、当該デジタル値から変換された時間を所定期間に設定する。
【００４９】
そして、００ｈ〜７Ｆｈのデジタル値は、部品配置部２２に刻印された０分〜６分の目盛り２８の操作範囲において、フェーダ２３を操作することにより得られる。一方、７Ｆｈ〜ＦＦｈのデジタル値は、６分〜３０分の目盛り２８が刻印された操作範囲において、フェーダ２３を操作することにより得られる。すなわち、主制御部３５は、フェーダ２３の操作量の比較的小さい起点側の範囲では、所定期間の時間間隔を連続的に小さく設定し、操作量の比較的大きい終点側の範囲では、所定期間の時間間隔を連続的に大きく設定している。これにより、フェーダ２３の操作量の比較的小さい起点側の範囲では、当該操作量に対して所定期間の変化が小さくなり、操作量の比較的大きい終点側の範囲では、所定期間の変化が大きくなっている。
【００５０】
記憶部３６は、２５６階調のデジタル値および当該デルタル値に対応付けられた時間、主制御部３５により設定された所定期間などの諸データが記憶されている。また、計時部３７は、主制御部３５の制御により、人感センサ２７により人体が検知されなくなった時からの所定期間を計時する。そして、当該所定期間の計時がタイムアップすると、計時完了の信号を主制御部３５に送出するように構成されている。
【００５１】
負荷制御Ｉ／Ｆ部３８は、主制御部３５から送出されたリレー４１をオンにさせる制御信号に応じてリレー４１をオンさせるように構成されている。そして、主制御部３５が当該制御信号の出力を停止すると、リレー４１をオフさせる。
【００５２】
そして、子機の複数のセンサ装置３は、図１に示すように、それぞれ通信線７を介して親機のセンサ装置２に接続されている。すなわち、通信線７は、図５に示す照明制御装置２９の通信端子４０，４０に接続されている。
【００５３】
子機のセンサ装置３は、親機のセンサ装置２と略相似の外形であって、小型に形成されている。そして、部品配置部２２には、図４に示すリモコン受信部２５、リモコン送信部２６および操作部としてのフェーダ２３などは備えられず、人感センサ２７が具備されている。そして、子機のセンサ装置３のセンサ装置本体９の内部には、人感センサ２７により人体が検知されたときの検知信号を親機のセンサ装置２の照明制御装置２９に送出する検知信号送信装置４３が設けられている。ここで、親機のセンサ装置３と同一部分には、同一符号を用いている。
【００５４】
検知信号送信装置４３は、図７に示すように、整流器４４、電源部４５、人感センサインターフェース（Ｉ／Ｆ）部４６、送信信号生成部４７およびＮ形のバイポーラトランジスタＴｒ１を有して構成されている。そして、人感センサ２７は、人感センサＩ／Ｆ部４６に接続されている。
【００５５】
整流器４４の入力端子は、通信端子４８，４８に接続されている。この通信端子４８，４８は、信号線７を介して親機のセンサ装置２の照明制御装置２９の通信端子４０，４０に接続されている。これにより、通信端子４８，４８には、照明制御装置２９の電源部３０から出力された直流電圧が供給されており、直流電圧が整流器４４の入力端子に入力されている。
【００５６】
整流器４４の出力端子間には、バイポーラトランジスタＴｒ１および抵抗Ｒ１の直列回路が接続されている。そして、バイポーラトランジスタＴｒ１は、ベースが送信信号生成部４７の出力側に接続され、ベースおよびエミッタ間に抵抗Ｒ２が接続されている。バイポーラトランジスタＴｒ１のベースに送信信号生成部４７の出力電圧（送信信号）が印加されると、バイポーラトランジスタＴｒ１はオンする。
【００５７】
バイポーラトランジスタＴｒ１がオンすると、整流器４４の正極側の出力端子からバイポーラトランジスタＴｒ１および抵抗Ｒ１の直列回路を介して負極側の出力端子に電流が流れて、整流器４４の入力電流が変化する。この入力電流の変化は、親機側の照明制御装置２９の子機通信Ｉ／Ｆ部３１により検出される。これにより、子機のセンサ装置３の人感センサ２７が人体を検知すると、検知信号が通信線７を介して照明制御装置２９の子機通信Ｉ／Ｆ部３１に送信される。
【００５８】
電源部４５は、Ｎ形のバイポーラトランジスタＴｒ２、ツェナーダイオードＺＤ１、抵抗Ｒ３および抵抗Ｒ４を有して構成されている。そして、整流器４４の出力端子間に抵抗Ｒ３、抵抗Ｒ４およびツェナーダイオードＺＤ１が接続されている。これにより、整流器４４の正極側の出力端子から抵抗Ｒ３および抵抗Ｒ４を介してバイポーラトランジスタＴｒ２のベースに電流が流れているので、バイポーラトランジスタＴｒ２は、常にオンする。このバイポーラトランジスタＴｒ２のオンにより、整流器４４から人感センサＩ／Ｆ部４６および送信信号生成部４７などに駆動電源が供給されている。
【００５９】
人感センサＩ／Ｆ部４６は、人感センサ２７が人体を検知すると、検知信号を送信信号生成部４７に送出するように構成されている。そして、送信信号生成部４７は、当該検知信号に応じて、送信信号をバイポーラトランジスタＴｒ１のベースに出力するように構成されている。この送信信号がバイポーラトランジスタＴｒ１のベースに印加され、バイポーラトランジスタＴｒ１がオンすることにより、上述したように、子機側の人感センサ２７が人体を検知したときの検知信号が親機側の照明制御装置２９の子機通信Ｉ／Ｆ部３１に送信される。
【００６０】
上述したように、照明制御装置２９の子機通信Ｉ／Ｆ部３１には、親機のセンサ装置２の人感センサ２７および子機のセンサ装置３の人感センサ２７がそれぞれ検知した人体の検知信号が入力される。そして、子機通信Ｉ／Ｆ部３１は、当該検知信号を主制御部３５に送出する。
【００６１】
次に、本発明の一実施の形態の作用について述べる。
【００６２】
親機のセンサ装置２に設けられている人感センサ２７または子機のセンサ装置３に設けられている人感センサ２７が人体の存在を検知すると、人体の検知信号が親機のセンサ装置２に配設されている照明制御装置２９の子機通信Ｉ／Ｆ部３１に入力され、さらに子機通信Ｉ／Ｆ部３１から主制御部３５に入力される。
【００６３】
主制御部３５は、人体の検知信号が入力されると、負荷制御Ｉ／Ｆ部３８に人体の存在に応じた制御信号としてのリレー４１をオンにさせる制御信号を出力する。負荷制御Ｉ／Ｆ部３８は、当該制御信号に応じて、リレー４１をオンさせる。リレー４１がオンすると、照明制御装置２９の負荷端子４２，４２間に商用交流電源からの交流電圧が印加され、交流電圧は、電源線８を介して照明器具４に配設されている点灯装置に入力される。そして、点灯装置は、蛍光ランプ５を点灯させる。このように、主制御部３５は、人感センサ２７が人体を検知したときに、照明器具４の蛍光ランプ５を点灯させる。
【００６４】
そして、主制御部３５は、親機のセンサ装置２の人感センサ２７または子機のセンサ装置３の人感センサ２７が人体を検知せず、子機通信Ｉ／Ｆ部３１から人体の検知信号が入力されなくなると、計時部３７に所定期間を計時させる。そして、計時部３７は、所定期間の計時がタイムアップすると、計時完了の信号を主制御部３５に送出する。主制御部３５は、当該計時完了の信号が入力されると、負荷制御Ｉ／Ｆ部３８に出力しているリレー４１をオンにさせる制御信号を停止する。負荷制御Ｉ／Ｆ部３８は、当該制御信号の停止により、リレー４１をオフにする。これにより、負荷端子４２，４２間に商用交流電源からの交流電圧が印加されなくなり、点灯装置は給電されなくなり、蛍光ランプ５は消灯する。
【００６５】
また、主制御部３５は、計時部３７が所定期間を計時しているときに、人感センサ２７が人体を検知して、人体の検知信号が子機通信Ｉ／Ｆ部３１から入力されると、計時部３７による計時をリスタートする。すなわち、主制御部３５は、人感センサ２７が人体を検知しなくなったときに、再び、計時部３７に所定期間を計時させる。
【００６６】
上述したように、主制御部３５は、人感センサ２７が人体を検知しなくなった時から所定期間後に蛍光ランプ５を消灯させる。そして、主制御部３５は、設定操作部３４から入力されたフェーダ２３の操作範囲の位置に応じた電圧（アナログ値）をデジタル値に変換し、このデジタル値に対応付けられた時間を当該所定期間に設定する。そして、フェーダ２３を起点から終点までの所定範囲で手動操作することにより、設定操作部３４から０Ｖ〜５Ｖの電圧が主制御部３５に入力され、図６に示すように、デジタル値に変換された値が対応付けられて、１０秒〜３０分の所定期間が設定される。すなわち、所定期間は、フェーダ２３の手動操作によって任意に設定される。
【００６７】
そして、人感センサ２７による人体の検知頻度が大きいときは、所定期間を長時間に設定し、人体の検知頻度が小さいときは、所定期間を短時間に設定することが省資源、省電力の観点から望ましい。すなわち、人感センサ２７による人体の検知頻度が大きいときに所定期間が短時間であると、蛍光ランプ５の点滅回数が多くなり、蛍光ランプ５の寿命が短くなるおそれがある。また、例えば、短時間の所用で離席したときに蛍光ランプ５が消灯していると、人に不快感や違和感などを与えるおそれがある。一方、人感センサ２７による人体の検知頻度が小さいときに所定期間が長時間であると、室内に人が存在していない状態で、蛍光ランプ５が点灯している時間が長くなることがあり、この期間の消費電力が無駄になるという不具合がある。
【００６８】
フェーダ２３によって所定期間を設定するときは、まず、センサ装置２のフランジ部１４の爪部１５，１５とカバー１０の係合を解除して、カバー１０をフランジ部１４から取り外す。
【００６９】
そして、図４において、所定期間を１０秒〜６分の短時間に設定するときは、部品配置部２２に刻印された０分〜６分の目盛り２８の操作範囲でフェーダ２３を手動操作して移動させる。例えば、所定期間を１分（所望値）に設定するときは、１分に刻印されている目盛り２８にフェーダ２３を移動させる。この０分〜６分の操作範囲は、フェーダ２３の全操作範囲の起点から中間部であるので、フェーダ２３の起点からの移動量（操作量）に対して所定期間の時間変化が小さい。したがって、所定期間が０分〜６分の目盛り２８の操作範囲で微調整して連続的に設定可能であり、所望値との誤差が小さくなる。
【００７０】
また、所定期間を６分〜３０分の長時間に設定するときは、部品配置部２２に刻印された６分〜３０分の目盛り２８の操作範囲でフェーダ２３を手動操作して移動させる。例えば、所定期間を２４分（所望値）に設定するときは、２４分に刻印されている目盛り２８にフェーダ２３を移動させる。この６分〜３０分の操作範囲は、フェーダ２３の全操作範囲の中間部から終点であるので、フェーダ２３の起点からの操作量に対して所定期間の時間変化が大きい。しかし、６分〜３０分の所定期間は、絶対値が大きいので、フェーダ２３の操作によって設定された所定期間と所望値との誤差は、許容範囲となるものである。
【００７１】
なお、部品配置部２２に、例えば液晶表示部を設け、主制御部３５により設定された所定期間を表示させるようにしてもよい。液晶表示部に表示された所定期間の値を目視しながらフェーダ２３を操作することにより、所定期間の設定が行いやすくなる。
【００７２】
上述したように、１つのフェーダ２３の手動操作により、短時間（１０秒〜６分）の所定期間が起点から終点までの所定の操作範囲の起点側の範囲で所望値との誤差を小さくして連続的に設定可能であり、長時間（６分〜３０分）の所定期間が操作範囲の終点側の範囲で所望値との誤差を許容範囲として連続的に設定可能である。
【００７３】
そして、主制御部３５は、設定操作部３４から入力された電圧（０Ｖ〜５Ｖ）を変換したデジタル値（００ｈ〜ＦＦｈ）に対して、図８に示すように、指数関数的に所定期間を設定するようにしてもよい。すなわち、操作範囲の起点からのフェーダ２３の操作量に応じて、所定期間が指数関数的に設定される。これにより、操作範囲の起点側の範囲でのフェーダ２３の操作量に対する所定期間の時間変化がさらに小さくなるので、短時間の所定期間を微調整して設定しやすい。
【００７４】
なお、負荷制御Ｉ／Ｆ部３８は、主制御部３５からリレー４１をオンにさせる制御信号が出力されたときにリレー４１をオンし、当該制御信号の出力の停止によりリレー４１をオフさせるように構成されているが、これに限らず、主制御部３５から人体の存在に応じた制御信号としてのパルス信号が出力されたときにリレー４１をオンすると共にオン状態を保持し、主制御部３５から人体の不存在に応じた制御信号としてのパルス信号が出力されたときにリレー４１のオン状態の保持を解除してリレー４１をオフさせるように構成してもよい。
【００７５】
また、センサ装置２は、取付部材１１，１１に代えて、例えば板ばねをセンサ装置本体９の両側面に配設して、板ばねの支持により天井１２に固定されるように形成されてもよい。
【図面の簡単な説明】
【００７６】
【図１】本発明の一実施の形態を示す照明装置の概略構成図。
【図２】同じく、天井に取り付けられた状態のセンサ装置であり、（ａ）は概略正面図、（ｂ）は概略側面図。
【図３】同じく、センサ装置の取付部材を示し、（ａ）は概略斜視図、（ｂ）は概略下面図。
【図４】同じく、センサ装置のカバーが取り外された状態の概略下面図。
【図５】同じく、照明制御装置の概略ブロック図。
【図６】同じく、デルタル値に対する所定期間の変化を示す説明図。
【図７】同じく、検知信号送信装置の概略ブロック図。
【図８】同じく、別のデルタル値に対する所定期間の変化を示す説明図。
【符号の説明】
【００７７】
１…照明装置
２…センサ装置
５…照明負荷としての蛍光ランプ
２３…操作部としてのフェーダ
２７…人感センサ
３５…制御手段としての主制御部
３８…制御手段としての負荷制御インターフェース（Ｉ／Ｆ）部
【図１】
2005214768.tif 000003
【図２】
2005214768.tif 000004
【図３】
2005214768.tif 000005
【図４】
2005214768.tif 000006
【図５】
2005214768.tif 000007
【図６】
2005214768.tif 000008
【図７】
2005214768.tif 000009
【図８】
2005214768.tif 000010